(57)【要約】【課題】排水立て管の下端に排水横主管を接続するための脚部継手は、従来コンクリートスラブに対して直接支持されていなかった。このため、排水立て管を経て流下する排水が脚部継手の内壁面に衝突し、これにより発生する振動が排水立て管および排水横主管を経て伝播し、その結果排水騒音の原因となっていた。本発明では、この排水騒音の低減を図ることを目的とする。【解決手段】脚部継手１０の屈曲外周側に支持台座部１１を設け、該支持台座部１１を、コンクリートスラブに吊り下げ状態で取り付けた支持具２０に防振部材２３を介在させて乗せ掛けることにより当該脚部継手１０をコンクリートスラブに吊り下げ状態で支持する構成とする。【選択図】        図２
2004270219.tif 000002
【特許請求の範囲】
【請求項１】
排水立て管に排水横主管を接続するための脚部継手をコンクリートスラブに吊り下げ状態で支持するための支持構造であって、
前記脚部継手の屈曲部外周側であって、前記排水立て管を流下した排水が衝突する前記脚部継手の内壁面の衝突部位の直下に支持台座部を設け、該支持台座部を、前記コンクリートスラブに吊り下げ支持した支持板に防振部材を介在させて乗せ掛けて当該脚部継手を前記コンクリートスラブに支持する構成とした脚部継手の支持構造。
【請求項２】
請求項１記載の支持構造であって、支持台座部の下面に、排水立て管の管軸と平行な軸線に沿って下方へ延びる支持突部を設け、該支持突部を、支持板の上面に設けた支持孔に防振部材を介在させて挿入して支持する構成とした脚部継手の支持構造。
【請求項３】
請求項１または２記載の支持構造であって、支持板をコンクリートスラブに吊り下げ支持するための吊り下げ部材と前記支持板との間に防振部材を介在させた脚部継手の支持構造。
【請求項４】
排水立て管に排水横主管を接続するための脚部継手を支持するための支持構造であって、
前記脚部継手の屈曲部外周側であって、前記排水立て管を流下した排水が衝突する前記脚部継手の内壁面の衝突部位の直下に支持台座部を設け、該支持台座部を、当該脚部継手の下方に設置した支持板に防振部材を介在させて乗せ掛けて当該脚部継手を下方から支持する構成とした脚部継手の支持構造。
【発明の詳細な説明】
【０００１】
【発明の属する技術分野】
この発明は、例えば高層マンション等の建造物における排水経路において、排水立て管と排水横主管を接続するための脚部継手をコンクリートスラブあるいは地面等に支持するための支持構造に関する。
【０００２】
【従来の技術】
一般に、図１０に示すように建造物の１階フロアをなすコンクリートスラブ９０の下方（床下）において、排水立て管９１の下端部に脚部継手９２を介して排水横主管９３が接続される。排水立て管９１は、各階のコンクリートスラブに取り付けた管継手を介して、あるいは図示するように直接コンクリートスラブ９０に支持され、排水横主管９３は支持具８０により１階フロアのコンクリートスラブ下面に吊り下げるようにして支持される。また、脚部継手９２は、図示するような支持具７０を用いてコンクリートスラブ９０の下面に吊り下げ状態で支持されていた。
【０００３】
【特許文献１】
特開平１０−２３７９１２号公報
【特許文献２】
特願２０００−６４３７９号公報
【０００４】
【発明が解決しようとする課題】
しかしながら、従来の支持具には次のような問題があった。すなわち、排水立て管９１から排水横主管９３へ至る排水経路は、脚部継手９２によって縦方向から横方向へほぼ９０度屈曲されるため、排水立て管９１から流下した排水は脚部継手９２の屈曲部の外周側内壁面に衝突した後、排水横主管９３内に流れ込む。このため、脚部継手９２は特にその屈曲部の外周側で排水衝突による振動が発生しやすい。
ところが、前記したように従来脚部継手９２は、その上部接続口に取り付けた支持具７０によりコンクリートスラブ９０に支持されていたため、脚部継手９２において排水衝突により発生する振動を効率よく吸収することができなかった。このため、脚部継手９２において発生した振動が抑制されることなくほぼそのまま排水立て管９１や排水横主管９３を経てコンクリートスラブに伝播し、結果的に住人等にとって大きな排水騒音となる問題があった。
本発明では、脚部継手で発生した振動がそのままコンクリートスラブに伝播することを抑制して排水騒音を低減することができる脚部継手の支持構造を提供することを目的とする。
【０００５】
【課題を解決するための手段】
このため、本発明では、前記各請求項に記載した構成の支持構造とした。
請求項１記載の支持構造によれば、脚部継手の屈曲部の外周側であって排水立て管を流下した排水が衝突する管内壁面の衝突部位の直下に設けた支持台座部を防振部材を介して支持板に乗せ掛けた状態でコンクリートスラブに吊り下げ支持されるので、排水立て管から流下した排水の衝突部位の直下に防振部材が配置されることとなる。これにより排水衝突により発生する脚部継手の振動を最も効果的に吸収して、排水立て管や排水横主管へ伝播する振動を大幅に抑制することができ、その結果排水騒音を効率よく低減することができる。
この明細書において、立て管排水の衝突部位の直下とは、厳密に直下である場合のみならず、その周辺をも含む一定の範囲を意味するものとする。要は、立て管排水の衝突により発生する振動を下方から受けて効果的に吸収し得る位置であればよい。
【０００６】
請求項２記載の支持構造によれば、上記作用効果に加えて、脚部継手を安定した状態で吊り下げ保持することができる。また、下方へ延びる円柱体形状の支持突部を支持具側の支持孔に上側から挿入して脚部継手を支持具に乗せ掛ける構成であるので、当該脚部継手を支持具に対して水平方向に位置決めした状態で保持することができる。
さらに、支持台座部が脚部継手の屈曲外周側に設けられ、かつ支持突部が排水立て管の管軸と平行な軸線に沿って下方へ延びる状態で設けられているので、排水立て管から流下した排水の衝突を流下方向真下から効率よく受けることができ、これにより当該脚部継手自体に発生する振動を抑制することができる。
請求項３記載の支持構造または請求項４記載の支持具によれば、脚部継手は、支持台座部を支持板に乗せ掛け、この支持板を吊り下げ部材を介してコンクリートスラブに吊り下げ支持することにより脚部継手がコンクリートスラブに直接支持される。このため、排水立て管からの排水の流下により発生した脚部継手の振動は支持具の防振部材により吸収されるので、従来のように振動がそのまま排水立て管または排水横主管を経てコンクリートスラブに伝播することが抑制され、これにより排水騒音を低減することができる。
請求項４記載の支持具によれば、脚部継手をコンクリートスラブの下方において吊り下げ支持するのではなく、例えば地面あるいはコンクリートスラブ上面に対して下方から支持することができ、この場合にも排水の流下により発生する脚部継手の振動を衝突部位の直下において防振部材により吸収することができるので、コンクリートスラブ等建物躯体へ振動がそのまま伝わることを抑制することができ、これにより排水騒音を大幅に低減することができる。
【０００７】
【発明の実施形態】
次に、本発明の実施の形態を図１〜図９に基づいて説明する。図１は、排水立て管２の下部から脚部継手１０を経て排水横主管３に至る排水経路１が示されている。
排水立て管２は、建物の各フロア（コンクリートスラブ）に固定した管継手４を介して上階から下階に至って貫通する状態で配管されている。図１には、建物の１階フロアを構成するコンクリートスラブ５が示されている。このコンクリートスラブ５を貫通する状態で管継手４が固定されている。
この管継手４の上部接続口４ａに排水立て管２の下端部が接続されている。この管継手４の胴部に設けた横枝管接続口４ｃには、横枝管６が接続されている。この横枝管６を介して１階フロアに設置した大便器等の排水器具（図示省略）が排水立て管２に接続されている。
管継手４の下部接続口４ｂには、脚部継手１０の上部接続口１０ａが接続されている。脚部継手１０の下部接続口１０ｂには、排水横主管３の上流側接続口３ａが接続されている。脚部継手１０の上部接続口１０ａと下部接続口１０ｂの、それぞれの管軸は相互に直行している。このため、図示するようにこの脚部継手１０は、ほぼＬ字形に屈曲する形状を有している。
排水横枝主管３は、支持具８によりコンクリートスラブ５に直接吊り下げ状態に固定されている。
なお、排水立て管２と管継手４の上部接続口４ａとの間、脚部継手１０の上部接続口１０ａと管継手４の下部接続口４ｂとの間、管継手４の横枝管接続口４ｃと横枝管６との間、脚部継手１０の下部接続口１０ｂと排水横主管３との間は、それぞれパッキン（図示省略）が介装されることにより水密かつ気密に接続されている。
【０００８】
上記脚部継手１０は支持具２０によりコンクリートスラブ５に対して吊り下げ状態で固定されている。この支持具２０による脚部継手１０の支持構造の詳細が図２〜図５に示されている。
脚部継手１０の屈曲外周側の外壁面であって、排水立て管２（排水管継手４を含む）を流下した排水が衝突する当該脚部継手１０の管内壁面の衝突部位の直下に支持台座部１１が設けられている。この支持台座部１１の下面には円柱体形状の支持突部１２が下方へ延びる状態で一体に設けられている。この支持突部１２は、図３に示すように先端側が細くなる方向に傾斜した周面のテーパ形状を有している。
一方、支持具２０は、脚部継手１０を乗せ掛ける支持板２１と、この支持板２１の両端部をコンクリートスラブ５に吊り下げて支持するための吊り下げ部材２２，２２を備えている。支持板２１の上面中央には、円筒形状の支持筒部２１ａが縦に（その軸線を支持板２１の上面に直行させる向きで）固定されている。この支持筒部２１ａの内周側には防振ゴム２３が取り付けられている。この防振ゴム２３が請求項１に記載した防振部材の一実施形態に相当する。
この防振ゴム２３の下面は、支持板２１の上面（支持筒部２１ａの底面）に当接されている。この防振ゴム２３の上面には、円形の凹部２３ａが形成されている。この凹部２３ａ内に上記支持突部１２を嵌め込む状態で当該脚部継手１０が支持板２１の乗せ掛けられている。
【０００９】
図３に示すように防振ゴム２３の下部外周面には、より径が小さい段差部２３ｂが軸方向一定の幅で全周にわたって形成されている。この段差部２３ｂにより、防振ゴム２３の軸方向の圧縮による径の拡大が許容される。
支持板２１の両端部には、それぞれ吊り下げ部材２２，２２が取り付けられている。この吊り下げ部材２２，２２を介して当該支持板２１ひいては脚部継手１０がコンクリートスラブ５に吊り下げ状態で支持される。両吊り下げ部材２２，２２の下端部は、支持板２１の両端部に設けた挿通孔２１ｂにそれぞれ防振ゴム２４を介して挿通されている。この防振ゴム２４は、挿通部２４ａをこれよりも大径のフランジ部２４ｂを有している。挿通部２４ａを挿通孔２１ｂに挿通し、フランジ部２４ｂを支持板２１の下面に当接させた状態で装着されている。
この防振ゴム２４の内周側に吊り下げ部材２２が挿通される。吊り下げ部材２２の下端部には雄ねじ部２２ａが形成されている。この雄ねじ部２２ａが防振ゴム２４の下面から下方へ突き出され、この突き出された部分にナット２５が締め込まれ、これにより当該吊り下げ部材２２の上方への抜けが防止されている。
【００１０】
一方、図５に示すように両吊り下げ部材２２，２２の上端部は、連結金具２６を介してアンカーボルト２７に連結されている。アンカーボルト２７は、コンクリートスラブ５の下面に固定されている。連結金具２６は、図示するように矩形に枠組みされたもので、その上面側にアンカーボルト２７の雄ねじ部２７ａが挿通され、下面側に吊り下げ部材２２の上部雄ねじ部２２ｂが挿通されている。連結金具２６の上面側に挿通されたアンカーボルト２７の雄ねじ部２７ａには、防振ゴム２８が装着されてナット２９が締め込まれている。また、連結金具２６の下面側に挿通された吊り下げ部材２２の上部雄ねじ部２２ｂにも防振ゴム３０が装着されてナット３１が締め込まれている。
本実施形態における防振ゴム２３が請求項１，２に記載した防振部材の一例に相当する。また，防振ゴム２４が請求項３に記載した防振部材の一例に相当する。
【００１１】
以上のように構成された本実施形態の支持構造および支持具２０によれば、脚部継手１０の屈曲部外周側の外壁面であって、流下した排水が衝突する管内壁面の衝突部位の直下には支持台座部１１が設けられ、この支持台座部１１の下面に支持突部１２が下方へ延びる状態で設けられて、この支持突部１２が防振ゴム２３を間にして支持板２１の支持筒部２１ａに挿入されることにより当該脚部継手１０が支持板２１に乗せ掛けられている。
このため、排水が衝突する衝突部位の直下において衝突による発生する振動が防振ゴム２３により吸収されるので最も効率よく振動を吸収することができ、これによりコンクリートスラブ５に伝わる振動を従来よりも大幅に低減することができる。
また、支持板２１と吊り下げ部材２２との間、吊り下げ部材２２とアンカーボルト２７（コンクリートスラブ５）との間にも、それぞれ防振ゴム２４，２８，３０が介装されているため、脚部継手１０で発生する振動をより確実に吸収してコンクリートスラブ５に伝わらないようにすることができる。
【００１２】
図９には、上記構成による防振効果を示すグラフが示されている。図中黒丸は、防振ゴム２３，２４，２８，３０の全ての防振部材を外した場合（ケースＡ）におけるコンクリートスラブ５の振動の発生状況を示している。また、図中黒の四角は、防振ゴム２３を用いた場合（ケースＤ）におけるコンクリートスラブ５の振動の発生状況を示し、図中黒の三角は、さらに防振ゴム２４を加えた場合（ケースＨ）におけるコンクリートスラブ５の振動の発生状況を示している。なお、いずれの場合においても、連結金具２６には防振ゴム２８，３０が用いられている。
このグラフによれば、防振ゴム２３，２４を用いないケースＡの場合には、特に周波数５００Ｈｚ〜８ＫＨｚの範囲で大きな振動を発生するが、防振ゴム２３またはこれに加えて防振ゴム２４を用いることにより、この範囲における振動を大幅に低減できることを理解できる。
このように本実施形態の支持構造によれば、排水流下による脚部継手１０の振動がそのままコンクリートスラブ５に伝播することを抑制し、これによりコンクリートスラブ５の振動を、特に住人が不快な騒音と感知する周波数１ＫＨｚ〜４ＫＨｚの範囲で大幅に低減することができる。
【００１３】
次に、以上説明した第１実施形態には種々変更を加えることができる。例えば、支持板２１と吊り下げ部材２２との間の防振ゴム２４、吊り下げ部材２２とアンカーボルト２７との間の防振ゴム２８，３９は省略してもよい。
また、支持突部１２を防振ゴム２３の凹部２３ａ内に嵌め込むことにより当該脚部継手１０を支持板２１の乗せ掛ける構成を例示したが、この構成に代えて例えば図６および図７に示す防振部材４０を用いることができる。この防振部材４０は、円柱体形状の防振ゴム４１の上面および下面に補強板４２，４２を貼り付けるとともに、上面および下面の中心から軸線に沿って雄ねじ部４３，４３を突き出して設けたもので、これは通常ゴムブッシュまたはゴムマウントと称されて一般に市販されている。
この防振部材４０の一方の雄ねじ部４３を、脚部継手１０に設けた支持台座部５０の下面に締め込んで当該防振部材４０を取り付け、他方の雄ねじ部４３を支持板４５の中央に設けた挿通孔４５ａに挿入してナット４６を締め込んで固定することにより、当該脚部継手１０を支持板４５に乗せ掛けて支持する構成とすることができる。この実施形態においても、支持台座部５０は、脚部継手１０の屈曲外周側の外壁面であって、流下した立て管排水が衝突する当該脚部継手１０の管内壁面の衝突部位の直下に設けられている。
また、前記例示した吊り下げ部材２２に代えて図６に示す吊り下げ部材４７を用いることができる。この吊り下げ部材４７は、その下端部においてナット４８，４８により支持板４５を挟み込んでこの支持板４５に取り付ける構成となっており、前記した防振ゴム２４を省略した構成となっている。
【００１４】
さらに、図８に示す支持具６０を用いることにより、脚部継手１０を前記例示したようにコンクリートスラブ５に吊り下げ支持するのではなく、例えば地面あるいはコンクリートスラブ上面（以下、地面等という）に設置して脚部継手１０を下方から支持する構成とすることもできる。この支持具６０は、前記防振部材４０と、支持具本体６１を備えている。なお、前記実施形態と同様、脚部継手１０の屈曲部の外周側であって、流下した立て管排水が衝突する管内壁面の衝突部位の直下に支持台材部５０が設けられている。
図８は、支持具本体６１のみを示している。この支持具本体６１は、地面等に置くベース６２と、このベース６２の上面中央から上方へ延びる調整ねじ部６３と、この調整ねじ部６３にねじ込まれたレバー６４と、レバー６４の上面に乗せ掛けられた支持筒部６５と、支持筒部６５の上部に設けられた受け台部６６を備えている。
受け台部６６の上面には、防振部材４０の下側の雄ねじ部４３が挿入される挿通孔６６ａが設けられている。この挿通孔６６ａに下側の雄ねじ部４３を挿入してナット４６を締め込むことにより、防振部材４０が受け台部６６の上面に固定される。防振部材４０の上側の雄ねじ部４３は、前記と同様脚部継手１０の支持台座部５０に締め込まれる。これにより脚部継手１０を防振部材４０を介して地面等に支持することができる。この場合も、排水の流下により発生した脚部継手１０の振動が排水衝突部位の直下において防振部材４０により効率よく吸収されるので、発生した振動が排水立て管２、排水横主管３あるいはコンクリートスラブ５にそのまま伝わることが防止され、これにより排水騒音を大幅に低減することができる。
【００１５】
また、この支持具６０によれば、レバー６４を回転させることにより支持筒部６５ひいては受け台部６６を上下に移動させることができるので、脚部継手１０の高さを微調整することができ、これにより当該脚部継手１０の施工を迅速かつ正確に行うことができる。
さらに、防振部材としてゴムを素材とするもの（防振ゴム）を例示したが、ばねやエアダンパーを用いる構成としてもよい。
【図面の簡単な説明】
【図１】本発明の実施形態を示す図であり、排水立て管から排水横主管に至る排水経路の側面図である。
【図２】支持具の分解斜視図である。
【図３】支持具の支持板に対する脚部継手の支持状態を示す縦断面図である。
【図４】支持板に対する吊り下げ部材の取り付け状態を示す縦断面図である。
【図５】吊り下げ部材のアンカーボルトに対する取り付け状態を示す縦断面図である。
【図６】別形態の吊り下げ型式の支持具の斜視図である。
【図７】脚部継手の支持台座部が別形態の支持具に支持された状態を示す縦断面図である。
【図８】さらに別形態の支持具の斜視図である。
【図９】例示した支持構造による防振効果を示す図である。
【図１０】脚部継手の従来の支持構造を示す側面図である。
【符号の説明】
１…排水経路
２…排水立て管
３…排水横主管
４…管継手
５…コンクリートスラブ
１０…脚部継手、１０ａ…上部接続口、１０ｂ…下部接続口
１１…支持台座部
１２…支持突部
２０…支持具
２１…支持板、２１ａ…支持筒部
２２…吊り下げ部材
２３…防振ゴム（防振部材）
２４…防振ゴム（防振部材）
２６…連結金具
２７…アンカーボルト
４０…防振部材
４５…支持板
４７…吊り下げ部材
５０…支持台座部
６０…支持具
６１…支持具本体
６６…受け台部
７０…従来の支持具
【図１】
2004270219.tif 000003
【図２】
2004270219.tif 000004
【図３】
2004270219.tif 000005
【図４】
2004270219.tif 000006
【図５】
2004270219.tif 000007
【図６】
2004270219.tif 000008
【図７】
2004270219.tif 000009
【図８】
2004270219.tif 000010
【図９】
2004270219.tif 000011
【図１０】
2004270219.tif 000012